(57)【要約】本発明は、過度の不均衡に起因するデカップリングの場合に、ステータ構造３のＸ軸に対してロータシャフト１を再センタリングするための装置に関する。通常の運転状態のもとにおいては、前述されたシャフトは、Ｘ軸と同軸であり、且つステータ構造３の軸Ｘを有するボア内に配置される軸受けブラケット５によって径方向に支持されている。そのうえ、軸受けブラケット５は、デカップリングの場合に、軸受けブラケットがＸ軸のまわりで軌道周回し得るように、ボアよりも小さい外径を備えており、さらに軸受けブラケットが、径方向のフューズエレメント６を用いてステータ構造３に結合され、前記装置は、デカップリング後に軸受けブラケットを再センタリングする手段を備えている。本発明は、軸受けブラケット５を再センタリングする手段が、デカップリング後に軸受けブラケット５を軌道周回方向と反対方向に歳差態様Ｐにて動作させる手段１０、および軸Ｘに対して軸受けブラケット５の認可された移動を低減するための多数の装置２０を備えており、前記移動を低減する装置は、ステータ構造３と軸受けブラケット５によって形成される２部品の軸Ｘ、１１の周りに一様に分配されており、そして各々、前述の２部品のうちの一方に設けられている第１の傾斜面２１と、前記部分のうちの他方に設けられている突出部２２を備えていることを特徴としている。通常の運転状態のもとにおいては、上述された突出部２２は、第１の傾斜面２１から径方向に離間されており、軸受けブラケット５の歳差運動Ｐの間に第１の傾斜面に接触し得る。
2005530958.tif 000002
【特許請求の範囲】
【請求項１】
過度の不均衡に起因するデカップリングの場合に、ステータ構造（３）の軸Ｘに対してロータシャフトを再センタリングするためのロータシャフト（１）のための再センタリング装置であり、前記シャフトが、通常の運転状態においては軸Ｘ上に位置し、且つ前記ステータ構造（３）における軸Ｘのボア内に配置される軸受け支持体（５）によって径方向に支持されており、前記軸受け支持体（５）が、デカップリングの場合に、前記軸受け支持体が軸Ｘのまわりで軌道周回するのを可能とするために、前記ボアよりも小さい外径を有しており、前記軸受け支持体（５）が、径方向のフューズエレメント（６）によってステータ構造（３）に結合され、前記再センタリング装置は、デカップリング後に軸受け支持体を再センタリングするための手段を備えている、再センタリング装置であって、
軸受け支持体（５）の再センタリング手段が、デカップリング後に移動されるその軌道の方向と反対の方向に、前記軸受け支持体（５）による歳差運動Ｐでの運動を生じさせるための手段（１０）と、軸Ｘに対する前記軸受け支持体（５）の許容されたクリアランスを低減するための複数の装置（２０）とを備え、クリアランスを低減させるための前記装置が、ステータ構造（３）と軸受け支持体（５）からなる２部品の軸（Ｘ、１１）の周りに一様に配置されており、各部品が、前記２部品のうちの一方に設けられている第１の傾斜面（２１）と、前記２部品のうちの他方に設けられている突出部（２２）を含み、前記突出部（２２）が、通常の運転状態において、前記第１の傾斜面（２１）から径方向に空間が空けられており、且つ前記軸受け支持体（５）の歳差運動Ｐでの運動の間に前記第１の傾斜面に接触し得るということを特徴とする、再センタリング装置。
【請求項２】
全ての突出部（２２）が、第１の傾斜面（２１）に同時に接触することが可能であることを特徴とする、請求項１に記載の装置。
【請求項３】
第１の傾斜面（２１）が、円に対する伸開線状の輪郭を有し、２つの隣接する第１の傾斜面が、径方向の肩部（２３）によって結合されていることを特徴とする、請求項１または２に記載の装置。
【請求項４】
第１の傾斜面（２１）が、アルキメデスのらせんの輪郭を有することを特徴とする、請求項３に記載の装置。
【請求項５】
突出部（２２）が、ブロックの形態に作られていることを特徴とする、請求項１から４のいずれか一項に記載の装置。
【請求項６】
突出部（２２）が、第２の傾斜面（２１）の端部によって形成されており、前記第２の傾斜面が、第１の傾斜面の輪郭と同様の輪郭を有していることを特徴とする、請求項１から４のいずれか一項に記載の装置。
【請求項７】
第１の傾斜面（２１）および突出部（２２）が、金属から作られていることを特徴とする、請求項１から６のいずれか一項に記載の装置。
【請求項８】
突出部（２２）が、通常の運転状態で、関連する第１の傾斜面（２１）から、デカップリングの間の軸受け支持体（５）の予期される径方向変位（ＪＢ）よりも大きな距離だけ、径方向に間隔をあけた位置に配置されることを特徴とする、請求項７に記載の装置。
【請求項９】
第１の傾斜面（２１）が、エラストマから作られており、第２の傾斜面（２４）が、金属から作られ、且つ歳差運動Ｐにおける運動を発生させるために、デカップリング後に、滑動なしに第１の傾斜面を転動し得ることを特徴とする、請求項６に記載の装置。
【請求項１０】
歳差運動（Ｐ）における運動を発生するための手段が、ステータ構造（３）に固定されたエラストマリング（１０）を備え、前記リング（１０）が、軸受け支持体（５）を囲み、且つ軸受け支持体（５）がデカップリング後に前記リング（１０）のボア内で滑動することなく転動し得るように、軸受け支持体（５）と永続的な接触状態となることを特徴とする、請求項１から８のいずれか一項に記載の装置。
【請求項１１】
エラストマ製の前記リング（１０）が、ステータ構造（３）のボア内に配置されることを特徴とする、請求項１０に記載の装置。
【請求項１２】
前記リング（１０）が、剛性で、可撓性金属支持体（３０）によってステータ構造に結合されることを特徴とする、請求項１０に記載の装置。
【請求項１３】
３個の第１の傾斜面（２１）と３個の突出部（２２）を備えることを特徴とする、請求項１から１２のいずれか一項に記載の装置。
【発明の詳細な説明】
【技術分野】
【０００１】
本発明は、偶発的な過度の不均衡に起因するデカップリングの場合に、ターボ機関を無傷で維持することの困難性に関する。
【０００２】
本発明は、より詳細には、例えば、ファンブレードを折損した後のターボジェットの保全に関する。
【背景技術】
【０００３】
ターボジェットは、エンジンの前部に配置されるファンを駆動するエンジンを備えている。
【０００４】
ファンのブレードは、異物の吸い込みの後に、特に最大限の毎分回転数（ｒｐｍ）時の離陸中において、損傷を受ける可能性がある。概して、ファンは、吸い込まれた異物の影響に過大な損傷がもたらされることなく耐えるのに十分なだけ頑丈であり、たとえ能率が低減されたとしても、運転を続けることが可能である。
【０００５】
しかしながら、ある状況において、ファンは、１片以上のブレードを失うほどまでに損傷を受ける可能性がある。このことは、結果として、重大な不均衡を生じ、この不均衡は、航空機に対する危険を低減するために、エンジンを停止させることを必要とする。それにもかかわらず、ブレードの損失に起因するこのような大きな不均衡は、少なくともエンジンが、ファンが風車スピードに達するまで減速する間、適応されなければならない大きな周期的な負荷を導く。風車スピードは、航空機が空気中を移動する結果として、非運転状態でエンジンが回転するスピードである。
【０００６】
構造によって、適応されなければならない周期的負荷を除去する通常の方法は、シャフトの前部軸受けにおけるステータ構造からファンの回転シャフトをデカップリングすることにある。これは、通常、軸受け支持体とステータ構造との間にフューズエレメントを挿入することによって実施され、前記フューズエレメントは、軸受けによって適応されなければならない径方向の力が、予め設定された値を超えるとすぐに、すなわち過大な不均衡が存在するとすぐに、壊れる。そのときファンシャフトは、径方向にある程度移動し、且つエンジンの対称長手軸のまわりで軌道周回することが自由になり、ファンは、前記ファンの新たな重心に近接して通る回転の軸のまわりでの回転を続ける。それにもかかわらず、ある状況において、不均衡の結果として生じ風車スピードにおいて持続する振動は、依然として考慮すべきものであり得る。
【０００７】
これは、ファンの振動の固有振動数、および支持軸受けの径方向の剛性の低減によるものである。それゆえ、種々のシャフト支持構成において、ある量の軸受け剛性を維持するため、またはシャフトの軸を実質的にエンジンの軸へ戻すための手段が存在する。
【０００８】
したがって、米国特許第６０７３４３９号明細書は、軸受け支持体とステータ構造との間に環状弾性エレメントを設け、前記エレメントは、エンジンの軸について同軸であり、該エレメントは、軸受け支持体に径方向の力を作用し、前記径方向の力は、エンジンの軸方向に向けられ、且つ軸受け支持体の軸をエンジンの軸に向かって戻そうとするものである。デカップリング後の結合の剛性は、デカップリングのない通常の運転状態における軸受けの剛性よりも明確に一層小さい。
【０００９】
米国特許第６００９７０１号明細書は、フューズエレメントが壊れた場合に、ステータ構造に対してシャフトを解放するために、外側ブッシングの支持体が、径方向フューズエレメントによってステータ構造に固定される、ファンシャフト支持軸受けを記述している。ブッシング支持体は、ステータ構造の一部を形成する円錐壁と協働することが可能な、らせん形状の開放リングによって囲まれている。前記円錐壁は、ファンが運転スピードから風車スピードへ低下する間に、シャフトの軸がエンジンの軸の周りで軌道周回した後に、らせん形状のリングを、シャフトが利用可能なクリアランスが最大である極位置から、シャフトの軸がエンジンの軸にまたしても同軸である他の極位置へ移動することを可能とさせる、らせん形状の溝を含んでいる。
【００１０】
米国特許第６００９７０１号明細書は、らせん形状の溝における開放リングの転動は、軸受け支持体軸の軌道周回とは反対の方向に前記リングの歳差運動での運動を駆動し、前記リングの最終的な配置は、軸受けが、通常の運転状態における剛性と実質的に等しい剛性からなることを保証するので、本発明に最も近い従来技術となる。しかし、その構成は、過大な不均衡の場合にその後のデカップリングを妨げるかもしれず、エンジンの通常の運転の間に時機を失した瞬間に動くことができないようにするために、軸受け支持体上の開放リングによる軸方向の変位、および開放リングが、通常の運転の間、静止したままとなることを保証するための装置を必要とする。
【発明の開示】
【発明が解決しようとする課題】
【００１１】
本発明の目的は、エンジンの通常の運転の間に、後続のデカップリングを妨げることができず、且つ再センタリング後の軸受けの満足すべき剛性を保証する、再センタリング装置を提供することにある。
【課題を解決するための手段】
【００１２】
本発明は、このようにして、過度の不均衡に起因するデカップリングの場合に、ステータ構造の軸Ｘに対してロータシャフトを再センタリングするための再センタリング装置であって、通常の運転状態においては、前記シャフトは、軸Ｘ上に位置し、且つ前記ステータ構造における軸Ｘのボア内に配置される軸受け支持体によって径方向に支持されており、前記軸受け支持体は、デカップリングの場合に、前記軸受け支持体が軸Ｘのまわりで軌道周回するのを可能とするために、前記ボアよりも小さい外径を有しており、前記軸受け支持体は、径方向のフューズエレメントによってステータ構造に結合され、前記装置は、デカップリング後に軸受け支持体を再センタリングするための手段を備えている、再センタリング装置を提供する。
【００１３】
本発明によれば、前記再センタリング装置は、軸受け支持体の再センタリング手段が、デカップリング後に移動される軌道の方向と反対の方向に、前記軸受け支持体による歳差運動Ｐでの運動を生じさせるための手段と、軸Ｘに対する前記軸受け支持体の許容されたクリアランスを低減するための複数の装置とを備え、クリアランスを低減させるための前記装置が、ステータ構造と軸受け支持体とからなる２部品の軸の周りに一様に配分されており、そして各部品が、前述の２部品のうちの一方に設けられている第１の傾斜面と、前記２部品のうちの他方に設けられている突出部を含み、前記突出部は、通常の運転状態で、前記第１の傾斜面から径方向に空間が空けられており、且つ前記軸受け支持体の歳差運動での運動の間に第１の傾斜面に接触し得るということを特徴としている。
【００１４】
最も有利なことには、理想的な再センタリングを保証するために、全ての突出部は、第１の傾斜面に同時に接触することが可能である。
【００１５】
第１の傾斜面と突出部は、ステータ構造と軸受け支持体に、またはこれに反して、軸受け支持体とステータ構造に、それぞれ取り付けられた固定エレメントであるので、通常の運転状態におけるそれらの配置は、組立の間におけるステータ構造上での軸受け支持体の配置によって正確に画定される。
【００１６】
理想的な再センタリングが達成されるとき、全ての突出部はそれぞれ第一の傾斜面に接触し、これは通常の運転状態における軸受けの剛性に近い軸受け剛性を保証する。
【００１７】
さらなる有利な特徴によれば、第１の傾斜面は、円に対する伸開線状の輪郭を有し、且つ２つの隣接する第１の傾斜面は、径方向の肩部によって結合されている。
【００１８】
通常の運転の間、突出部は、肩部に近接して配置されている。
【００１９】
好ましくは、第１の傾斜面は、アルキメデスのらせんの輪郭を有している。
【００２０】
第１の構成においては、突出部は、ブロックの形態に作られている。
【００２１】
第２の構成においては、突出部は、第２の傾斜面の端部によって形成されており、前記第２の傾斜面は、第１の傾斜面の輪郭と同様の輪郭を有している。
【００２２】
第１の実施の形態においては、第１の傾斜面および突出部の両者は、金属から作られており、且つデカップリング中の衝撃を回避するために、突出部は、通常の運転状態で、関連する第１の傾斜面から、デカップリングの間の軸受け支持体の予期される径方向変位よりも大きな距離だけ、径方向に間隔をあけた位置に配置される。
【００２３】
第２の実施の形態においては、第１の傾斜面は、エラストマから作られており、突出部は、金属から作られている。突出部が第２の傾斜面の一部である場合、２つの傾斜面の間の距離は、軸受け支持体の予期される径方向変位よりもかなり小さく、それによって、デカップリングの場合に、軸受け支持体の歳差運動は軸受け支持体の再センタリングを導くように、一方の傾斜面が他方の傾斜面上を転動し得ることを確実にする。
【００２４】
好ましくは、軸受け支持体の歳差運動における運動を発生するための手段は、ステータ構造にしっかり固定されたエラストマリングを備え、前記リングは、軸受け支持体を囲み、且つ軸受け支持体がデカップリング後に前記リングのボア内で滑動することなく転動し得るように、軸受け支持体と永続的に接触状態となる。
【００２５】
前記エラストマリングは、ステータ構造のボア内に有利に配置される。このことは、デカップリングの間における軸受け支持体とステータ構造の間の衝撃を除去することを可能とする。
【００２６】
本発明の他の利点および特徴は、例として示され添付図面を参照する以下の記述を読めば明らかになる。
【発明を実施するための最良の形態】
【００２７】
図１は、軸Ｘのターボジェットにおけるファンを駆動するためのシャフト１の前部の図であり、前記シャフトは、シャフト１の部分１ａの周囲にぴったり組み立てられた内部ブッシングを有し、且つ軸受け支持体５のボア内に保持される外部ブッシングを有する、軸受け４を用いて、ステータ構造３のボア２内の軸Ｘ上に保持されており、軸受け支持体５は、ステータ構造３のボア２の直径よりもかなり小さい直径を有している。
【００２８】
軸受け支持体５は、参照符号６が付された、径方向のフューズエレメント、またはプログラムされた損壊ゾーンによって、ステータ構造３に結合されている。参照符号７および８は、軸受け支持体５の軸方向変位を限定するために、ステータ構造３に固定されている軸方向アバットメントを示している。
【００２９】
このように、環状空間９は、軸受け支持体５の周囲とボア２を画定するステータ構造３の壁部との間に径方向に配置される。空間の径方向厚みは、ボア２と軸受け支持体５の外径との間の直径の差に等しく、例えば、ターボジェットの通常運転中に、フューズエレメント６が損壊し、ブレード損壊によって生じさせられる過大な不均衡が続く場合に、軸受け支持体５の軸の径方向変位を可能にするのに十分に大きく構成されている。
【００３０】
図１に示されるように、ステータ構造３に固定されたエラストマリング１０は、環状空間９内に配置される。前記エラストマリングは、軸受け支持体５を取り囲み、且つ軸受け支持体５の直径よりも若干大きい直径を有する内側ボアを含んでいる。
【００３１】
図４に示されるように、フューズエレメント６が損壊したとき、軸受け支持体５の軸でもあるシャフト１の軸１１は、ステータ構造３の軸Ｘから移動して、軸受け支持体５は、エラストマリング１０におけるボアの内面を押圧するようになる。
【００３２】
軸１１は、シャフト１の回転Ｒの方向に軸Ｘのまわりで軌道周回を開始する。結果として、軸受け支持体５は、エラストマリング１０の内側のボア内で、好ましくは滑動することなく、転動を開始する。前記転動は、軸受け支持体５に、遊星歯車システムにおけるのと同様に、軸受け支持体５とエラストマリングにおけるボアの直径に応じるスピードで、回転Ｒの方向とは反対の方向に歳差運動Ｐでの運動を生じさせる。
【００３３】
提案された軸受け構成は、デカップリング後に、軸Ｘに対するクリアランスを低減するための装置２０をさらに備えており、前記装置は、歳差運動Ｐでの運動によって実現される。
【００３４】
図２および図３に示される例においては数が３個であるそのような装置２０は、軸Ｘのまわりに均等に配分され、且つ各々、第１の傾斜面２１および突出部２２を備え、第１の傾斜面２１は、好ましくは円に対する伸開線状の輪郭、またはアルキメデスのらせん状の輪郭を有し、ステータ構造３および軸受け支持体５によって構成される部品の一つに設けられ、突出部２２は、第１の傾斜面２１から軸方向にオフセットされており、突出部は、軸受け支持体５およびステータ構造３によって構成される部品の他の一つに設けられる。２つの隣接する傾斜面２１は、径方向の肩部２３で結合されている。
【００３５】
通常の運転状態において、すなわちデカップリングがない場合には、突出部２２は、径方向の肩部２３の近傍の円周上に配置され、第１の関連する傾斜面２１から突出部２２を分離する距離は、デカップリングが起きたときに、デカップリングによって発生され、エラストマリング１０によって吸収される径方向の力で、突出部２２および第１の関連する傾斜面２１が互いに衝撃を与えるのを防止するために、デカップリング直後における軸受け支持体５の予期される径方向変位よりも大きい。
【００３６】
デカップリング後の軸受け支持体５の歳差運動Ｐにおける動作の間に、突出部２２は、関連する肩部２３から移動して離れる。第１の傾斜面２１の輪郭を考慮すると、突出部２２の先端と第１の傾斜面２１との間に存在する最小クリアランスは、それらのうちの１つが第１の関連する傾斜面２１に接触するまで、次第に減少するであろう。そのときから、軸受け支持体５のために利用可能であるクリアランスは、前記連続する接触によって限定され、軸受け支持体５の軸１１は、軸受け支持体５による歳差運動Ｐにおける後続の動きの間に移動して軸Ｘにより近付く。
【００３７】
３つの突出部２２が、３つの第１の傾斜面２１に同時に接触すると、軸１１は、軸Ｘと一致して、それによって理想的な再センタリングが達成される。第１の傾斜面２１の輪郭は、突出部２２の先端と、それら先端を支持する部品の対称軸Ｘまたは１１との間の距離を選択することによって、前記距離が、それら先端を支持する部品の対称軸１１またはＸから、径方向の肩部２３の端部までの距離の間に存在するように、この条件が達成されることを可能とすべく構成される。
【００３８】
図２において、ＪＢは、デカップリングの間における、軸受け支持体５の軸１１の予期される変位のためのクリアランスを示し、ＪＳは、デカップリングが生じたときに、衝撃を回避するために必要とされる安全クリアランスを示している。歳差運動Ｐにおける運動の最初において、クリアランスＪＳは、突出部２２と第１の傾斜面２１との間にいかなる接触もせずに減少する。クリアランスＪＢが吸収されると、突出部２２と第１の傾斜面２１の間に連続する接触がなされる。一旦クリアランスＪＢが、図５に示されるように完全に吸収されると、軸受け支持体５は、軸Ｘ上に再センタリングされる。
【００３９】
図３は、軸受け支持体５に固定されたブロックの形態で作られた突出部２２を示しており、第１の傾斜面２１が、ステータ構造３に固定されている。
【００４０】
図２は、一組の第２の傾斜面２４の端部によって構成される突出部２２を示しており、前記傾斜面は第１の傾斜面２１と同一の輪郭を有している。
【００４１】
図５は、第２の傾斜面２４の３つの端部２２が、同時に第１の傾斜面２１に接触したときの、図２の傾斜面２１および２４の位置を示しており、該位置は、軸受け支持体５つまりシャフト１の理想的な再センタリングに対応する。
【００４２】
軸受け支持体５は、次に移動不能にされ、端部２２と第１の傾斜面２１との間のくさび効果によって回転を停止する。
【００４３】
傾斜面２１および２４は、好ましくは金属から作られ、図１に示されるように、環状空間９内に配置され得る。
【００４４】
しかしながら、図６および図７に示されるように、第１の傾斜面２１は、軸方向アバットメント８に設けられるとともに、第２の傾斜面２４またはブロックが、環状空間９の外側の、軸受け４の外側ブッシング４ａに設けられるようにすることもできる。
【００４５】
図６は、可撓性エラストマブッシングの形態で作られるリング１０をさらに示している。
【００４６】
図７に示されるように、リング１０は、環状空間９の外側に配置される可撓性金属支持体３０によってステータ構造３に結合される剛性フープであっても良い。重要なことは、軸受け支持体５が、デカップリング後は、第１の傾斜面２１と突出部２２が相互間に向かって移動するとき、次第に吸収されるべき、予期される変位についての安全クリアランスＪＳおよびクリアランスＪＢを生じさせるために、ギア減速比に比例するスピードで、歳差運動Ｐでの移動を可能にするために、リング１０に永続的に接触しているべきであることである。
【００４７】
図面に示された実施の形態において、３つの突出部２２が、同時に３つの傾斜面２１に全て接触することができ、それによって理想的な再センタリングを保証している。小さな大きさの残余クリアランスに対応する、軸受け支持体５によって歳差運動での予め設定された動きの後に、突出部２２が第１の傾斜面２１のきわめて近くに配置されることを確実にさせるために、ステータ構造３に対する軸受け支持体５の歳差運動の最大角度を限定するための装置を提供することができることが認められるはずである。
【００４８】
提案された装置の他の変形は、金属傾斜面２１および２４の少なくとも一方をエラストマ傾斜面によって置き換えてなる。そのような解決策の唯一の欠点は、再センタリングの後により小さな剛性が得られることであるが、そのときは、エラストマ傾斜面は、クリアランスを吸収するために歳差運動における軸受け支持体５の移動の機能も実行するから、もはやエラストマリング１０も、図６および図７に示された支持体のような、可撓性金属支持体３０も使用する必要がない。
【図面の簡単な説明】
【００４９】
【図１】通常運転状態におけるファンのシャフトを支持する前部軸受けの領域を示す、ターボジェットの対称性の軸を含む径方向平面に基づく概略の半断面図である。
【図２】通常運転状態における本発明の一実施形態の軸受け支持体のためのクリアランスを低減するための装置を示す、図１におけるＩＩ−ＩＩ線上の径方向断面図である。
【図３】図２と同様であり且つ本発明の第２の実施形態を示す図である。
【図４】図１と同様であり且つデカップリング後のエンジンの対称性の軸からのシャフトの軸のオフセットを示す図である。
【図５】デカップリングに続く再センタリング後の軸受け支持体のためのクリアランスを低減するための装置のエレメントの配置を示す図である。
【図６】異なる実施の形態を示す図である。
【図７】異なる実施の形態を示す図である。
【図１】
2005530958.tif 000003
【図２】
2005530958.tif 000004
【図３】
2005530958.tif 000005
【図４】
2005530958.tif 000006
【図５】
2005530958.tif 000007
【図６】
2005530958.tif 000008
【図７】
2005530958.tif 000009
【国際調査報告】
2005530958.tif 000010
2005530958.tif 000011
2005530958.tif 000012
2005530958.tif 000013
2005530958.tif 000014
2005530958.tif 000015